(57)【要約】【課題】外からの衝撃、及び収納した釣具によって損傷することなく、簡易な構造の装飾シールが配設された釣具収納ケースを提供する。【解決手段】釣具収納ケースは、釣竿５０を収納して外方から視認可能となるように透明部を有するケース本体２と、ケース本体２に設けられ、釣竿５０を取り出し可能にする開口５を閉塞する透明状の開閉蓋体８と、開閉蓋体８を閉塞した際、開閉蓋体の裏面側に位置する補強片１０と、開閉蓋体８と補強片１０との間に配設され、外方から視認可能で取り外し可能な装飾シール２０とを有する。【選択図】図１
2014064481.tif 000002
【特許請求の範囲】
【請求項１】
釣具を収納して外方から視認可能となるように透明部を有するケース本体と、
前記ケース本体に設けられ、前記釣具を取り出し可能にする開口を閉塞する透明状の開閉蓋体と、
前記開閉蓋体を閉塞した際、開閉蓋体の裏面側に位置する補強片と、
前記開閉蓋体と補強片との間に配設され、外方から視認可能で取り外し可能な装飾シールと、
を有することを特徴とする釣具収納ケース。
【請求項２】
前記補強片は、前記ケース本体に対して回動可能に一体化されており、前記ケース本体の開口を閉塞可能な板状体として構成されていることを特徴とする請求項１に記載の釣具収納ケース。
【請求項３】
前記装飾シールは、台紙に対して剥離可能に貼着されており、前記台紙は前記補強片の表面に取着されていることを特徴とする請求項１又は２に記載の釣具収納ケース。
【請求項４】
前記装飾シールは、台紙に対して剥離可能に貼着されており、前記台紙は前記開閉蓋体の裏面に取着されていることを特徴とする請求項１又は２に記載の釣具収納ケース。
【発明の詳細な説明】
【技術分野】
【０００１】
本発明は、釣竿、リール、仕掛け等、各種の釣具を収納する釣具収納ケースに関する。
【背景技術】
【０００２】
一般的に、上記のような釣具は、透明な収納ケース（釣具収納ケース）に入れられて店頭陳列されることが多く、購入者は、その外観を視認することが可能となっている。このような釣具収納ケースには、特殊なデザイン図柄や企業のロゴ等（以下、装飾と称する）を付した装飾シールが同封されることがあり、例えば、特許文献１には、そのような装飾シールを台紙から剥がして、購入者が好みの個所に貼着できるようにした釣具収納ケースが開示されている。
【０００３】
特許文献１に開示されている装飾シールは、透明ケースの本体の表面に、台紙と一体化した装飾シールが貼着されており、装飾シールの表面は保護シートで覆われている。そして、このような装飾シールは、透明ケース本体上に貼着された台紙から保護シートと共に剥離し、好みの箇所に貼着した後、保護シートを剥がすことで他の物品に貼着できるよう構成されている。
【先行技術文献】
【特許文献】
【０００４】
【特許文献１】特開平１１−２３９４３８号
【発明の概要】
【発明が解決しようとする課題】
【０００５】
上記した特許文献１に開示されている釣具収納ケースは、装飾シール上に保護シート用の貼着層が形成されており、装飾シールを他物に貼着して保護シートを剥がして使用されることから、装飾シールそのものの構造が複雑化してしまう（装飾シールについては、製品とは関係のない副次的な要素であるため、簡易なものであることが好ましい）。また、装飾シールの要求特性としては、収納された釣具や外部からの衝撃等によって破損等することなく、釣具収納状態では表示機能が確保されており、かつ、釣具を取り出した開封後では、容易に他の物品に貼着できるように構成されていることが好ましい。
【０００６】
本発明は、上記した問題に着目してなされたものであり、外からの衝撃、及び収納した釣具によって損傷することなく、簡易な構造の装飾シールが配設された釣具収納ケースを提供することを目的とする。
【課題を解決するための手段】
【０００７】
上記した目的を達成するために、本発明に係る釣具収納ケースは、釣具を収納して外方から視認可能となるように透明部を有するケース本体と、前記ケース本体に設けられ、前記釣具を取り出し可能にする開口を閉塞する透明状の開閉蓋体と、前記開閉蓋体を閉塞した際、開閉蓋体の裏面側に位置する補強片と、前記開閉蓋体と補強片との間に配設され、外方から視認可能で取り外し可能な装飾シールと、を有することを特徴とする。
【０００８】
上記した釣具収納ケースでは、ケース本体に釣具を収納すると、その釣具は透明部を介して外方から視認することができる。ケース本体の開口は、透明状の開閉蓋体によって閉塞され、その裏面側には、補強片が位置すると共に、開閉蓋体と補強片との間には、外方から視認可能で取り外し可能な装飾シールが配設される。この装飾シールは、透明状の開閉蓋体を通して外方から視認することができ、かつ、収容された釣具との間に補強片が介在された状態になることから、外からの衝撃、及び収納した釣具によって損傷することはなく、ケース本体を開封した後は、釣具収納ケースから取り外して他物に貼着することができる。また、装飾シールは、開閉蓋体と補強片との間に配設しておくだけで良く、特別な積層構造にする必要もないため、簡易な構造にすることが可能となる。
【０００９】
なお、上記した構成において、補強片は、開閉蓋体と収納される釣具との間に位置していれば配設態様については特に限定されることはない。例えば、ケース本体と一体化されていても良いし、別体として構成されていても良く、さらには、開閉蓋体の裏面に取着された状態になっていても良い。また、補強片については、透明状の材質であっても良いし、透明でない構成であっても良い。
【発明の効果】
【００１０】
本発明によれば、外からの衝撃、及び収納した釣具によって損傷することなく、簡易な構造の装飾シールが配設された釣具収納ケースが得られる。
【図面の簡単な説明】
【００１１】
【図１】本発明に係る釣具収納ケースの一実施形態を示す斜視図。
【図２】開閉蓋体を閉塞した状態を示す斜視図。
【図３】開閉蓋体を閉塞した状態を示す縦断面図。
【図４】開閉蓋体を開放した状態を示す斜視図。
【図５】装飾シールの配設態様を示す斜視図。
【図６】釣具収納ケースの展開図。
【図７】本発明に係る釣具収納ケースの変形例を示す斜視図。
【図８】図７に示す釣具収納ケースにおいて開閉蓋体をケース本体から回動した状態を示す縦断面図。
【図９】図７に示す釣具収納ケースにおいて開閉蓋体を開放した状態を示す斜視図。
【発明を実施するための形態】
【００１２】
以下、本発明に係る釣具収納ケースについて具体的に説明する。  
図１から図６は、本発明に係る釣具収納ケースの一実施形態を示す図であり、図１は、全体構成を示す斜視図、図２は、開閉蓋体を閉塞した状態を示す斜視図、図３は、開閉蓋体を閉塞した状態を示す縦断面図、図４は、開閉蓋体を開放した状態を示す斜視図、図５は、装飾シールの配設態様を示す斜視図、そして、図６は、展開図である。
【００１３】
本実施形態の釣具収納ケース１は、釣具として釣竿５０を収納するのに適した構造となっており、直方体状に形成されたケース本体２を有している。ケース本体２は、例えば、図６の展開図に示すように、幅広で対向する一対の側壁部（幅広側壁部）２ａ、及び幅狭で対向する一対の側壁部（幅狭側壁部）２ｂを備えた１枚の板状体２Ａに折り目を形成し、この折り目を折り曲げることで断面略矩形の筒状体として構成されており、その両端部には、折り曲げた際に形成され、釣具を取り出し可能にする開口５を閉塞する閉塞部材２Ｂが設けられている。
【００１４】
ケース本体２については、収納された釣具（釣竿）が外から視認できるように少なくとも一部に透明部を有する構造であれば良く、例えば、ポリエチレン、ポリエステル、ポリカーボネート、塩化ビニール等によって、全体が透明状の材料で構成されていることが好ましい。また、ケース本体の両端部に設けられる閉塞部材２Ｂについては、図に示すように、一方側のみが開閉可能で釣具を取り出せる構造であっても良いし、両側が開閉可能な構造であっても良い。
【００１５】
本実施形態の閉塞部材２Ｂは、図１に示すように、一方側が開閉可能となっており、一対の幅狭側壁部２ｂの端部に屈曲（回動）可能に一体化されて、開口５を閉塞する一対のフラップ片７と、前記幅広側壁部２ａの端部に設けられて、フラップ片７の上側から重ねられて開口５を閉塞する透明状の開閉蓋体８と、開閉蓋体８を閉塞した際、開閉蓋体の裏面側に位置する補強片１０とを備えている。
【００１６】
この場合、補強片１０は、開閉蓋体８と対向する側の幅広側壁部２ａの端部に屈曲（回動）可能に一体化されており、前記開口５を閉塞可能な板状体として構成されて、フラップ片７の上側から重ねられて開口５を閉塞するようになっている。すなわち、開口５は、フラップ片７で閉塞し、この上から補強片１０を重ね、さらに、その上から開閉蓋体８を重ねることで閉塞されるようになっている。なお、補強片１０は、透明状であっても良いし、透明でない構成であっても良い。
【００１７】
前記開閉蓋体８の先端には、幅広側壁部２ａの端部側表面に重ねられる屈曲片８ａが一体的に設けられており、開閉蓋体８を閉塞した際、閉塞状態が保持されるようになっている。このため、屈曲片８ａの裏面、及び、幅広側壁部２ａの端部側表面には、両者を取着できるような固定手段、例えば、面ファスナ９ａ，９ｂが取着されている。
【００１８】
そして、前記開閉蓋体８と補強片１０との間には、外方から視認可能で取り外し可能な装飾シール（図では、装飾として「ＡＢＣ」の文字が付されている）２０が配設されている。この装飾シール２０は、粘着層を介して台紙２１に貼着された状態で開閉蓋体８と補強片１０との間に介在されており、台紙２１から剥離することで、好みの対象物に貼着できるように構成されている。なお、本実施形態では、台紙２１は、補強片１０の表面に接着剤等によって取着された状態となっている。
【００１９】
上記した釣具収納ケース１は、図２及び図３に示すように、輸送時や陳列時では、閉塞部材２Ｂが開口５を閉塞しており、釣竿５０が収納された状態となっている。収納された釣竿５０は、外方から視認することができると共に、前記装飾シール２０についても、透明な開閉蓋体８を介して視認可能な状態となっている。
【００２０】
そして、釣竿５０を釣具収納ケース１から取り出すに際しては、屈曲片８ａを摘まんで開閉蓋体８を開き、次いで、補強片１０及びフラップ片７を開くことで開口５を開放することで成される。釣竿を取り出した後、釣具収納ケース１は、破棄されるか、釣竿用の収納ケースとして利用される。また、前記装飾シール２０については、図５に示すように、補強片１０の表面側に配されており、台紙２１から剥離することで、好みの対象物に貼着することが可能となる。
【００２１】
上記した釣具収納ケースによれば、装飾シール２０は、透明状の開閉蓋体８の裏面側に配設されるため外方から視認することができ、開閉蓋体８と補強片１０との間に配設されることから、外からの衝撃、及び収納した釣具によって損傷することはない。また、装飾シール２０は、開閉蓋体８と補強片１０との間に配設しておくだけで良く、特別な積層構造にする必要もないため、簡易な構造、すなわち、台紙に装飾シールを貼着した簡易な構造にすることが可能となる。
【００２２】
また、補強片１０は、ケース本体２（幅広側壁部２ａ）に対して回動可能に一体化されており、ケース本体の開口５を閉塞可能な板状体として構成されているため、ケース本体の組立時に一体形成することが可能となり、構成が簡略化される。さらに、装飾シール２０は、台紙２１に対して剥離可能に貼着されており、台紙２１は補強片１０の表面に取着されていることから、単に装飾シール２０が貼着された台紙２１を補強片１０に取着するだけで良く、より構成が簡略化される。
【００２３】
上記した装飾シール２０については、透明状の開閉蓋体８の裏面側で補強片１０との間に配設されれば、その配設態様については適宜、変形することが可能である。例えば、図７から図９に示すように、開閉蓋体８の裏面に、上記したような装飾シール２０が貼着された台紙２１を、補強片１０側からフィルム２５で覆うようにして取着しても良い。この場合、フィルム２５は、装飾シール２０の周囲に取着されて開閉蓋体８の裏面から剥離できるものであっても良いし、周囲の一部を開閉蓋体８の裏面に取着して、装飾シール２０が貼着された台紙２１を、フィルム２５から挿脱できるように差し込むものであっても良い。また、台紙２１の周囲部分を、そのまま開閉蓋体８の裏面に取着しても良い。  
このような構成においても、上記した実施形態と同様な作用効果が得られる。
【００２４】
以上、本発明の実施形態について説明したが、本発明は、上記した構成に限定されることはなく、適宜、変形することが可能である。  
例えば、ケース本体の形状や構成材料は、収納される釣具に応じて種々変形することが可能であり、それに応じて閉塞部材の構成についても適宜、変形することが可能である。例えば、閉塞部材を構成する開閉蓋体については、ケース本体に対して着脱されるキャップ形態であっても良く、そのようなキャップ状の開閉蓋体の裏面側に配設される装飾シールと釣具との間に、補強片が介在していれば良い。
【符号の説明】
【００２５】
１  釣具収納ケース
２  ケース本体
８  開閉蓋体
１０  補強片
２０  装飾シール
５０  釣竿（釣具）
【図１】
2014064481.tif 000003
【図２】
2014064481.tif 000004
【図３】
2014064481.tif 000005
【図４】
2014064481.tif 000006
【図５】
2014064481.tif 000007
【図６】
2014064481.tif 000008
【図７】
2014064481.tif 000009
【図８】
2014064481.tif 000010
【図９】
2014064481.tif 000011